(57)【要約】【課題】本発明は壁掛けライトを開示した。【解決手段】長固定板と照明ライトとを含み、前記長固定板は四組のボルトにより壁に固定されており、前記長固定板の中には長スライド溝が設置され、前記長スライド溝の左側端壁には貫通溝が設置され、前記貫通溝は外部空間と連通するように設置され、前記長スライド溝の中には長スライド板がスライドできるように設置され、前記長スライド板の頂部端面には六組の矩形溝が設置され、前記長固定板の頂部端面には凹溝が設置され、前記凹溝と前記長スライド溝との間にはリミット軸がスライドできるように設置され、前記リミット軸が前記矩形溝の中に插入されて前記長スライド板の位置を制限でき、本発明の壁掛けライトは壁で自由に移動でき、それにより照明面積を増大し、使用者は自分のニーズにより、昇降機構と調節機構を通じてライトを照明角度を変えられ、使い心地を快適にさせる。【選択図】図１
2020177887.tif 000002
【特許請求の範囲】
【請求項１】
長固定板と照明ライトとを含み、前記長固定板は四組のボルトにより壁に固定されており、前記長固定板の中には長スライド溝が設置され、前記長スライド溝の左側端壁には貫通溝が設置され、前記貫通溝は外部空間と連通するように設置され、前記長スライド溝の中には長スライド板がスライドできるように設置され、前記長スライド板の頂部端面には六組の矩形溝が設置され、前記長固定板の頂部端面には凹溝が設置され、前記凹溝と前記長スライド溝との間にはリミット軸がスライドできるように設置され、前記リミット軸が前記矩形溝の中に插入されて前記長スライド板の位置を制限でき、前記リミット軸の頂端には小スライドブロックが固定的に設置され、前記小スライドブロックと前記凹溝との間には二組のばねが装着され、前記長スライド板の左側端面にはＬ型ロッドが固定的に設置され、前記Ｌ型ロッドの左側末端には支持板が固定的に設置され、前記支持板の中には滑走溝が設置され、前記滑走溝の中には照明角度を調節する調節機構が設置され、前記支持板の底端には第一コンロッドが固定的に設置され、前記第一コンロッドの底端には揺れ動き板がヒンジで連結され、前記揺れ動き板の中には円形チャンバが設置され、前記円形チャンバの中には前記照明ライトを昇降させることができる昇降機構が設置されることを特徴とする壁掛けライト。
【請求項２】
前記調節機構は前記滑走溝の中に回転できるように設置された第一スクリュー軸を含み、前記第一スクリュー軸の右半分にはねじ山が設置され、前記第一スクリュー軸の片側末端が前記支持板の外部に伸びており、且つ前記第一スクリュー軸の片側末端には第一つまみが固定的に設置され、前記第一スクリュー軸の別の側の末端が前記滑走溝の片側端壁と回転できるようにされ、前記滑走溝の中には第一ねじ山ブロックがスライドできるように設置され、前記第一ねじ山ブロックと前記第一スクリュー軸とがねじ山によって連結され、前記第一ねじ山ブロックの底部端面には第二コンロッドがヒンジで連結され、前記第二コンロッドと前記揺れ動き板とがヒンジで連結されることを特徴とする請求項１に記載の壁掛けライト。
【請求項３】
前記昇降機構は前記円形チャンバの底壁に回転できるように設置された伝動スクリュー軸を含み、前記伝動スクリュー軸は上下に伸びるように設置され、前記伝動スクリュー軸の頂端にはウォームホイールが固定的に設置され、前記円形チャンバの片側端壁の中には第二スクリュー軸が回転できるように設置され、前記第二スクリュー軸の右側の一部はウォームの設計であり、前記第二スクリュー軸は前記ウォームホイールの後側に位置しており、且つ前記ウォームホイールと噛み合っており、前記第二スクリュー軸の左側末端には第二つまみが固定的に設置され、前記伝動スクリュー軸の底部の一部にはねじ山が設置され、前記伝動スクリュー軸の底端にはリミット盤が固定的に設置され、且つ前記伝動スクリュー軸の外周には第二ねじ山ブロックがねじ山によって連結され、前記第二ねじ山ブロックの頂端には二組の軸が左右対称的に設置され、前記揺れ動き板の底端には二組の左右対称であるすべり軸受がヒンジで連結され、前記すべり軸受の中にはいずれも円形スライド溝が設置され、前記軸は前記円形スライド溝の中に伸びており、且つ前記円形スライド溝とスライドできるように連結され、前記第二ねじ山ブロックの前後左右の四つの端面にはいずれも支持ロッドが固定的に設置され、前記照明ライトの頂端には四組の曲がりロッドが設置され、前記曲がりロッドと前記支持ロッドとがいずれも固定的に連結され、前記曲がりロッドの一端には装飾品が固定的に設置されることを特徴とする請求項１に記載の壁掛けライト。
【発明の詳細な説明】
【技術分野】
【０００１】
本発明は照明ライト技術分野に関わり、具体的には壁掛けライトである。
【背景技術】
【０００２】
今、市販されている多数の壁掛けライトは壁に固定されて移動できないのであり、機動性が低く、且つ壁掛けライトは一つのところしか照明できなくいので、照明範囲が狭く、同時に壁掛けライトの角度を調節できなく、仮に書斎に掛けて使用すれば、本を読む時と仕事をする時に、自分の習慣に従って壁掛けライトの角度を変えられないため、壁掛けライトの使い心地がよくない。
【先行技術文献】
【特許文献】
【０００３】
【特許文献１】中国特許出願公開第１０５３８９９１１号明細書
【発明の概要】
【発明が解決しようとする課題】
【０００４】
本発明は壁掛けライトを提供し、既存技術にある上記欠点を解消することを目的とする。
【課題を解決するための手段】
【０００５】
本発明の壁掛けライトは、長固定板と照明ライトとを含み、前記長固定板は四組のボルトにより壁に固定されており、前記長固定板の中には長スライド溝が設置され、前記長スライド溝の左側端壁には貫通溝が設置され、前記貫通溝は外部空間と連通するように設置され、前記長スライド溝の中には長スライド板がスライドできるように設置され、前記長スライド板の頂部端面には六組の矩形溝が設置され、前記長固定板の頂部端面には凹溝が設置され、前記凹溝と前記長スライド溝との間にはリミット軸がスライドできるように設置され、前記リミット軸が前記矩形溝の中に插入されて前記長スライド板の位置を制限でき、前記リミット軸の頂端には小スライドブロックが固定的に設置され、前記小スライドブロックと前記凹溝との間には二組のばねが装着され、前記長スライド板の左側端面にはＬ型ロッドが固定的に設置され、前記Ｌ型ロッドの左側末端には支持板が固定的に設置され、前記支持板の中には滑走溝が設置され、前記滑走溝の中には照明角度を調節する調節機構が設置され、前記支持板の底端には第一コンロッドが固定的に設置され、前記第一コンロッドの底端には揺れ動き板がヒンジで連結され、前記揺れ動き板の中には円形チャンバが設置され、前記円形チャンバの中には前記照明ライトを昇降させることができる昇降機構が設置される。
【０００６】
さらなる技術プランには、前記調節機構は前記滑走溝の中に回転できるように設置された第一スクリュー軸を含み、前記第一スクリュー軸の右半分にはねじ山が設置され、前記第一スクリュー軸の片側末端が前記支持板の外部に伸びており、且つ前記第一スクリュー軸の片側末端には第一つまみが固定的に設置され、前記第一スクリュー軸の別の側の末端が前記滑走溝の片側端壁と回転できるようにされ、前記滑走溝の中には第一ねじ山ブロックがスライドできるように設置され、前記第一ねじ山ブロックと前記第一スクリュー軸とがねじ山によって連結され、前記第一ねじ山ブロックの底部端面には第二コンロッドがヒンジで連結され、前記第二コンロッドと前記揺れ動き板とがヒンジで連結される。
【０００７】
さらなる技術プランには、前記昇降機構は前記円形チャンバの底壁に回転できるように設置された伝動スクリュー軸を含み、前記伝動スクリュー軸は上下に伸びるように設置され、前記伝動スクリュー軸の頂端にはウォームホイールが固定的に設置され、前記円形チャンバの片側端壁の中には第二スクリュー軸が回転できるように設置され、前記第二スクリュー軸の右側の一部はウォームの設計であり、前記第二スクリュー軸は前記ウォームホイールの後側に位置しており、且つ前記ウォームホイールと噛み合っており、前記第二スクリュー軸の左側末端には第二つまみが固定的に設置され、前記伝動スクリュー軸の底部の一部にはねじ山が設置され、前記伝動スクリュー軸の底端にはリミット盤が固定的に設置され、且つ前記伝動スクリュー軸の外周には第二ねじ山ブロックがねじ山によって連結され、前記第二ねじ山ブロックの頂端には二組の軸が左右対称的に設置され、前記揺れ動き板の底端には二組の左右対称であるすべり軸受がヒンジで連結され、前記すべり軸受の中にはいずれも円形スライド溝が設置され、前記軸は前記円形スライド溝の中に伸びており、且つ前記円形スライド溝とスライドできるように連結され、前記第二ねじ山ブロックの前後左右の四つの端面にはいずれも支持ロッドが固定的に設置され、前記照明ライトの頂端には四組の曲がりロッドが設置され、前記曲がりロッドと前記支持ロッドとがいずれも固定的に連結され、前記曲がりロッドの一端には装飾品が固定的に設置される。
【発明の効果】
【０００８】
本発明の有益な効果は：伝統的な壁掛けライトと比べ、本発明の壁掛けライトはスライドでき、それによりライトは壁で自由に移動でき、それにより照明面積を増大でき、デスクに取り付ければ、使用者は自分のニーズにより、昇降機構と調節機構を通じてライトを照明角度を変えられ、使い心地を快適にさせる。
【図面の簡単な説明】
【０００９】
【図１】図１は本発明の壁掛けライトの内部全体構成概略図
【図２】図２は本発明の中の長固定板のところの局部拡大概略図
【図３】図３は本発明の中の揺れ動き板のところの局部拡大概略図
【図４】図４は本発明の中の長スライド板の概略図
【発明を実施するための形態】
【００１０】
次に図１−４を合わせて本発明を詳しく説明する。意思の疎通に便利なため、後文に出る方位を以下の通りに規定する：後文に出る上下左右前後方向は図１本体の投影関係の上下左右前後方向と一致する。
【００１１】
図１−４を参照し、本発明の壁掛けライトは、長固定板１０と照明ライト１４とを含み、前記長固定板１０は四組のボルト４０により壁１２に固定されており、前記長固定板１０の中には長スライド溝１３が設置され、前記長スライド溝１３の左側端壁には貫通溝４１が設置され、前記貫通溝４１は外部空間と連通するように設置され、前記長スライド溝１３の中には長スライド板３６がスライドできるように設置され、前記長スライド板３６の頂部端面には六組の矩形溝３７が設置され、前記長固定板１０の頂部端面には凹溝３８が設置され、前記凹溝３８と前記長スライド溝１３との間にはリミット軸１１がスライドできるように設置され、前記リミット軸１１が前記矩形溝３７の中に插入されて前記長スライド板３６の位置を制限でき、前記リミット軸１１の頂端には小スライドブロック３５が固定的に設置され、前記小スライドブロック３５と前記凹溝３８との間には二組のばね３９が装着され、前記長スライド板３６の左側端面にはＬ型ロッド３４が固定的に設置され、前記Ｌ型ロッド３４の左側末端には支持板２９が固定的に設置され、前記支持板２９の中には滑走溝３１が設置され、前記滑走溝３１の中には照明角度を調節する調節機構５０が設置され、前記支持板２９の底端には第一コンロッド２７が固定的に設置され、前記第一コンロッド２７の底端には揺れ動き板２６がヒンジで連結され、前記揺れ動き板２６の中には円形チャンバ４３が設置され、前記円形チャンバ４３の中には前記照明ライト１４を昇降させることができる昇降機構５１が設置され、手で前記小スライドブロック３５を引き出すことにより、前記リミット軸１１は前記矩形溝３７から離脱し、更に前記長スライド板３６は前記長スライド溝１３の中でスライドすることができる。
【００１２】
前記調節機構５０は前記滑走溝３１の中に回転できるように設置された第一スクリュー軸３０を含み、前記第一スクリュー軸３０の右半分にはねじ山が設置され、前記第一スクリュー軸３０の片側末端が前記支持板２９の外部に伸びており、且つ前記第一スクリュー軸３０の片側末端には第一つまみ２８が固定的に設置され、前記第一スクリュー軸３０の別の側の末端が前記滑走溝３１の片側端壁と回転できるようにされ、前記滑走溝３１の中には第一ねじ山ブロック３２がスライドできるように設置され、前記第一ねじ山ブロック３２と前記第一スクリュー軸３０とがねじ山によって連結され、前記第一ねじ山ブロック３２の底部端面には第二コンロッド３３がヒンジで連結され、前記第二コンロッド３３と前記揺れ動き板２６とがヒンジで連結され、手で前記第一つまみ２８を回すことにより、前記滑走溝３１は正方向又は逆方向に回転でき、更に第一ねじ山ブロック３２は左又は右へスライドでき、更に前記揺れ動き板２６が揺れ動き、前記照明ライト１４の照明角度を調節する目的を達成する。
【００１３】
前記昇降機構５１は前記円形チャンバ４３の底壁に回転できるように設置された伝動スクリュー軸２５を含み、前記伝動スクリュー軸２５は上下に伸びるように設置され、前記伝動スクリュー軸２５の頂端にはウォームホイール４２が固定的に設置され、前記円形チャンバ４３の片側端壁の中には第二スクリュー軸４４が回転できるように設置され、前記第二スクリュー軸４４の右側の一部はウォームの設計であり、前記第二スクリュー軸４４は前記ウォームホイール４２の後側に位置しており、且つ前記ウォームホイール４２と噛み合っており、前記第二スクリュー軸４４の左側末端には第二つまみ４５が固定的に設置され、前記伝動スクリュー軸２５の底部の一部にはねじ山が設置され、前記伝動スクリュー軸２５の底端にはリミット盤２０が固定的に設置され、且つ前記伝動スクリュー軸２５の外周には第二ねじ山ブロック２１がねじ山によって連結され、前記第二ねじ山ブロック２１の頂端には二組の軸２２が左右対称的に設置され、前記揺れ動き板２６の底端には二組の左右対称であるすべり軸受２４がヒンジで連結され、前記すべり軸受２４の中にはいずれも円形スライド溝２３が設置され、前記軸２２は前記円形スライド溝２３の中に伸びており、且つ前記円形スライド溝２３とスライドできるように連結され、前記第二ねじ山ブロック２１の前後左右の四つの端面にはいずれも支持ロッド１９が固定的に設置され、前記照明ライト１４の頂端には四組の曲がりロッド１５が設置され、前記曲がりロッド１５と前記支持ロッド１９とがいずれも固定的に連結され、前記曲がりロッド１５の一端には装飾品１６が固定的に設置され、手で前記第二つまみ４５を回すことにより、前記第二スクリュー軸４４が回転し、更に前記ウォームホイール４２が回転でき、前記ウォームホイール４２が前記伝動スクリュー軸２５を回転連動させ、更に前記第二ねじ山ブロック２１は上又は下へ移動でき、それにより前記照明ライト１４は上又は下へ移動できる。
【００１４】
使用する時、まず長固定板１０をボルト４０により長固定板１０に固定し、そして小スライドブロック３５を上へ引き動かすことにより、リミット軸１１が矩形溝３７から離脱し、また手でＬ型ロッド３４をスライドさせ、それによりＬ型ロッド３４が照明ライト１４を右又は左へスライド連動させ、目標位置に移動した時、小スライドブロック３５を放し、それにより小スライドブロック３５がばね３９の引張力の下で復帰し、更にリミット軸１１が矩形溝３７の中に挿入され、それにより長スライド板３６を制限し、長スライド板３６がスライドできなく、照明ライト１４をつけ、手で第二つまみ４５を回すことにより、第二スクリュー軸４４が回転し、更にウォームホイール４２が回転し、ウォームホイール４２が伝動スクリュー軸２５を回転連動させ、更に第二ねじ山ブロック２１は上又は下へスライドでき、それにより照明ライト１４は上又は下へ調節されることができ、仮に照明ライト１４の照明角度を調節すれば、手で第一つまみ２８を回し、それにより第一スクリュー軸３０が回転し、更に第一スクリュー軸３０が第一ねじ山ブロック３２を連動させて左又は右へスライドさせることができ、更に揺れ動き板２６が揺れ動くことができ、それにより照明ライト１４の照明角度を調節できる。
【００１５】
本発明の有益な効果は：伝統的な壁掛けライトと比べ、本発明の壁掛けライトはスライドでき、それによりライトは壁で自由に移動でき、それにより照明面積を増大でき、デスクに取り付ければ、使用者は自分のニーズにより、昇降機構と調節機構を通じてライトを照明角度を変えられ、使い心地を快適にさせる。
【００１６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020177887.tif 000003
【図２】
2020177887.tif 000004
【図３】
2020177887.tif 000005
【図４】
2020177887.tif 000006
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
長固定板と照明ライトとを含み、前記長固定板は四組のボルトにより壁に固定されており、前記長固定板の中には長スライド溝が設置され、前記長スライド溝の左側端壁には貫通溝が設置され、前記貫通溝は外部空間と連通するように設置され、前記長スライド溝の中には長スライド板がスライドできるように設置され、前記長スライド板の頂部端面には六組の矩形溝が設置され、前記長固定板の頂部端面には凹溝が設置され、前記凹溝と前記長スライド溝との間にはリミット軸がスライドできるように設置され、前記リミット軸が前記矩形溝の中に插入されて前記長スライド板の位置を制限でき、前記リミット軸の頂端には小スライドブロックが固定的に設置され、前記小スライドブロックと前記凹溝との間には二組のばねが装着され、前記長スライド板の左側端面にはＬ型ロッドが固定的に設置され、前記Ｌ型ロッドの左側末端には支持板が固定的に設置され、前記支持板の中には滑走溝が設置され、前記滑走溝の中には照明角度を調節する調節機構の一部が設置され、前記支持板の底端には第一コンロッドが固定的に設置され、前記第一コンロッドの底端には揺れ動き板がヒンジで連結され、前記揺れ動き板の中には円形チャンバが設置され、前記円形チャンバの中には前記照明ライトを昇降させることができる昇降機構の一部が設置されることを特徴とする壁掛けライト。
【請求項２】
前記調節機構は前記滑走溝の中に回転できるように設置された第一スクリュー軸を含み、前記第一スクリュー軸の右半分にはねじ山が設置され、前記第一スクリュー軸の片側末端が前記支持板の外部に伸びており、且つ前記第一スクリュー軸の片側末端には第一つまみが固定的に設置され、前記第一スクリュー軸の別の側の末端が前記滑走溝の片側端壁と回転できるようにされ、前記滑走溝の中には第一ねじ山ブロックがスライドできるように設置され、前記第一ねじ山ブロックと前記第一スクリュー軸とが前記第一ねじ山ブロックと前記第一スクリュー軸に設けられたねじ山によって連結され、前記第一ねじ山ブロックの底部端面には第二コンロッドがヒンジで連結され、前記第二コンロッドと前記揺れ動き板とがヒンジで連結されることを特徴とする請求項１に記載の壁掛けライト。
【請求項３】
前記昇降機構は前記円形チャンバの底壁に回転できるように設置された伝動スクリュー軸を含み、前記伝動スクリュー軸は上下に伸びるように設置され、前記伝動スクリュー軸の頂端にはウォームホイールが固定的に設置され、前記円形チャンバの片側端壁の中には第二スクリュー軸が回転できるように設置され、前記第二スクリュー軸の右側の一部はウォームの設計であり、前記第二スクリュー軸は前記ウォームホイールの後側に位置しており、且つ前記ウォームホイールと噛み合っており、前記第二スクリュー軸の左側末端には第二つまみが固定的に設置され、前記伝動スクリュー軸の底部の一部にはねじ山が設置され、前記伝動スクリュー軸の底端にはリミット盤が固定的に設置され、且つ前記伝動スクリュー軸の外周には第二ねじ山ブロックがねじ山によって連結され、前記第二ねじ山ブロックの頂端には二組の軸が左右対称的に設置され、前記揺れ動き板の底端には二組の左右対称であるすべり軸受がヒンジで連結され、前記すべり軸受の中にはいずれも円形スライド溝が設置され、前記軸は前記円形スライド溝の中に伸びており、且つ前記円形スライド溝とスライドできるように連結され、前記第二ねじ山ブロックの前後左右の四つの端面にはいずれも支持ロッドが固定的に設置され、前記照明ライトの頂端には四組の曲がりロッドが設置され、前記曲がりロッドと前記支持ロッドとがいずれも固定的に連結され、前記曲がりロッドの一端には装飾品が固定的に設置されることを特徴とする請求項１に記載の壁掛けライト。
【手続補正２】
【補正対象書類名】明細書
【補正対象項目名】全文
【補正方法】変更
【補正の内容】
【発明の詳細な説明】
【技術分野】
【０００１】
本発明は照明ライト技術分野に関わり、具体的には壁掛けライトである。
【背景技術】
【０００２】
今、市販されている多数の壁掛けライトは壁に固定されて移動できないのであり、機動性が低く、且つ壁掛けライトは一つのところしか照明できなくいので、照明範囲が狭く、同時に壁掛けライトの角度を調節できなく、仮に書斎に掛けて使用すれば、本を読む時と仕事をする時に、自分の習慣に従って壁掛けライトの角度を変えられないため、壁掛けライトの使い心地がよくない。
【先行技術文献】
【特許文献】
【０００３】
【特許文献１】中国特許出願公開第１０５３８９９１１号明細書
【発明の概要】
【発明が解決しようとする課題】
【０００４】
本発明は壁掛けライトを提供し、既存技術にある上記欠点を解消することを目的とする。
【課題を解決するための手段】
【０００５】
本発明の壁掛けライトは、長固定板と照明ライトとを含み、前記長固定板は四組のボルトにより壁に固定されており、前記長固定板の中には長スライド溝が設置され、前記長スライド溝の左側端壁には貫通溝が設置され、前記貫通溝は外部空間と連通するように設置され、前記長スライド溝の中には長スライド板がスライドできるように設置され、前記長スライド板の頂部端面には六組の矩形溝が設置され、前記長固定板の頂部端面には凹溝が設置され、前記凹溝と前記長スライド溝との間にはリミット軸がスライドできるように設置され、前記リミット軸が前記矩形溝の中に插入されて前記長スライド板の位置を制限でき、前記リミット軸の頂端には小スライドブロックが固定的に設置され、前記小スライドブロックと前記凹溝との間には二組のばねが装着され、前記長スライド板の左側端面にはＬ型ロッドが固定的に設置され、前記Ｌ型ロッドの左側末端には支持板が固定的に設置され、前記支持板の中には滑走溝が設置され、前記滑走溝の中には照明角度を調節する調節機構の一部が設置され、前記支持板の底端には第一コンロッドが固定的に設置され、前記第一コンロッドの底端には揺れ動き板がヒンジで連結され、前記揺れ動き板の中には円形チャンバが設置され、前記円形チャンバの中には前記照明ライトを昇降させることができる昇降機構の一部が設置される。
【０００６】
さらなる技術プランには、前記調節機構は前記滑走溝の中に回転できるように設置された第一スクリュー軸を含み、前記第一スクリュー軸の右半分にはねじ山が設置され、前記第一スクリュー軸の片側末端が前記支持板の外部に伸びており、且つ前記第一スクリュー軸の片側末端には第一つまみが固定的に設置され、前記第一スクリュー軸の別の側の末端が前記滑走溝の片側端壁と回転できるようにされ、前記滑走溝の中には第一ねじ山ブロックがスライドできるように設置され、前記第一ねじ山ブロックと前記第一スクリュー軸とが前記第一ねじ山ブロックと前記第一スクリュー軸に設けられたねじ山によって連結され、前記第一ねじ山ブロックの底部端面には第二コンロッドがヒンジで連結され、前記第二コンロッドと前記揺れ動き板とがヒンジで連結される。
【０００７】
さらなる技術プランには、前記昇降機構は前記円形チャンバの底壁に回転できるように設置された伝動スクリュー軸を含み、前記伝動スクリュー軸は上下に伸びるように設置され、前記伝動スクリュー軸の頂端にはウォームホイールが固定的に設置され、前記円形チャンバの片側端壁の中には第二スクリュー軸が回転できるように設置され、前記第二スクリュー軸の右側の一部はウォームの設計であり、前記第二スクリュー軸は前記ウォームホイールの後側に位置しており、且つ前記ウォームホイールと噛み合っており、前記第二スクリュー軸の左側末端には第二つまみが固定的に設置され、前記伝動スクリュー軸の底部の一部にはねじ山が設置され、前記伝動スクリュー軸の底端にはリミット盤が固定的に設置され、且つ前記伝動スクリュー軸の外周には第二ねじ山ブロックがねじ山によって連結され、前記第二ねじ山ブロックの頂端には二組の軸が左右対称的に設置され、前記揺れ動き板の底端には二組の左右対称であるすべり軸受がヒンジで連結され、前記すべり軸受の中にはいずれも円形スライド溝が設置され、前記軸は前記円形スライド溝の中に伸びており、且つ前記円形スライド溝とスライドできるように連結され、前記第二ねじ山ブロックの前後左右の四つの端面にはいずれも支持ロッドが固定的に設置され、前記照明ライトの頂端には四組の曲がりロッドが設置され、前記曲がりロッドと前記支持ロッドとがいずれも固定的に連結され、前記曲がりロッドの一端には装飾品が固定的に設置される。
【発明の効果】
【０００８】
本発明の有益な効果は：伝統的な壁掛けライトと比べ、本発明の壁掛けライトはスライドでき、それによりライトは壁で自由に移動でき、それにより照明面積を増大でき、デスクに取り付ければ、使用者は自分のニーズにより、昇降機構と調節機構を通じてライトを照明角度を変えられ、使い心地を快適にさせる。
【図面の簡単な説明】
【０００９】
【図１】図１は本発明の壁掛けライトの内部全体構成概略図
【図２】図２は本発明の中の長固定板のところの局部拡大概略図
【図３】図３は本発明の中の揺れ動き板のところの局部拡大概略図
【図４】図４は本発明の中の長スライド板の概略図
【発明を実施するための形態】
【００１０】
下記に図1〜４をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１１】
図１−４を参照し、本発明の壁掛けライトは、長固定板１０と照明ライト１４とを含み、前記長固定板１０は四組のボルト４０により壁１２に固定されており、前記長固定板１０の中には長スライド溝１３が設置され、前記長スライド溝１３の左側端壁には貫通溝４１が設置され、前記貫通溝４１は外部空間と連通するように設置され、前記長スライド溝１３の中には長スライド板３６がスライドできるように設置され、前記長スライド板３６の頂部端面には六組の矩形溝３７が設置され、前記長固定板１０の頂部端面には凹溝３８が設置され、前記凹溝３８と前記長スライド溝１３との間にはリミット軸１１がスライドできるように設置され、前記リミット軸１１が前記矩形溝３７の中に插入されて前記長スライド板３６の位置を制限でき、前記リミット軸１１の頂端には小スライドブロック３５が固定的に設置され、前記小スライドブロック３５と前記凹溝３８との間には二組のばね３９が装着され、前記長スライド板３６の左側端面にはＬ型ロッド３４が固定的に設置され、前記Ｌ型ロッド３４の左側末端には支持板２９が固定的に設置され、前記支持板２９の中には滑走溝３１が設置され、前記滑走溝３１の中には照明角度を調節する調節機構５０の一部が設置され、前記支持板２９の底端には第一コンロッド２７が固定的に設置され、前記第一コンロッド２７の底端には揺れ動き板２６がヒンジで連結され、前記揺れ動き板２６の中には円形チャンバ４３が設置され、前記円形チャンバ４３の中には前記照明ライト１４を昇降させることができる昇降機構５１の一部が設置され、手で前記小スライドブロック３５を引き出すことにより、前記リミット軸１１は前記矩形溝３７から離脱し、更に前記長スライド板３６は前記長スライド溝１３の中でスライドすることができる。
【００１２】
前記調節機構５０は前記滑走溝３１の中に回転できるように設置された第一スクリュー軸３０を含み、前記第一スクリュー軸３０の右半分にはねじ山が設置され、前記第一スクリュー軸３０の片側末端が前記支持板２９の外部に伸びており、且つ前記第一スクリュー軸３０の片側末端には第一つまみ２８が固定的に設置され、前記第一スクリュー軸３０の別の側の末端が前記滑走溝３１の片側端壁と回転できるようにされ、前記滑走溝３１の中には第一ねじ山ブロック３２がスライドできるように設置され、前記第一ねじ山ブロック３２と前記第一スクリュー軸３０とが前記第一ねじ山ブロック３２と前記第一スクリュー軸３０に設けられたねじ山によって連結され、前記第一ねじ山ブロック３２の底部端面には第二コンロッド３３がヒンジで連結され、前記第二コンロッド３３と前記揺れ動き板２６とがヒンジで連結され、手で前記第一つまみ２８を回すことにより、前記滑走溝３１は正方向又は逆方向に回転でき、更に第一ねじ山ブロック３２は左又は右へスライドでき、更に前記揺れ動き板２６が揺れ動き、前記照明ライト１４の照明角度を調節する目的を達成する。
【００１３】
前記昇降機構５１は前記円形チャンバ４３の底壁に回転できるように設置された伝動スクリュー軸２５を含み、前記伝動スクリュー軸２５は上下に伸びるように設置され、前記伝動スクリュー軸２５の頂端にはウォームホイール４２が固定的に設置され、前記円形チャンバ４３の片側端壁の中には第二スクリュー軸４４が回転できるように設置され、前記第二スクリュー軸４４の右側の一部はウォームの設計であり、前記第二スクリュー軸４４は前記ウォームホイール４２の後側に位置しており、且つ前記ウォームホイール４２と噛み合っており、前記第二スクリュー軸４４の左側末端には第二つまみ４５が固定的に設置され、前記伝動スクリュー軸２５の底部の一部にはねじ山が設置され、前記伝動スクリュー軸２５の底端にはリミット盤２０が固定的に設置され、且つ前記伝動スクリュー軸２５の外周には第二ねじ山ブロック２１がねじ山によって連結され、前記第二ねじ山ブロック２１の頂端には二組の軸２２が左右対称的に設置され、前記揺れ動き板２６の底端には二組の左右対称であるすべり軸受２４がヒンジで連結され、前記すべり軸受２４の中にはいずれも円形スライド溝２３が設置され、前記軸２２は前記円形スライド溝２３の中に伸びており、且つ前記円形スライド溝２３とスライドできるように連結され、前記第二ねじ山ブロック２１の前後左右の四つの端面にはいずれも支持ロッド１９が固定的に設置され、前記照明ライト１４の頂端には四組の曲がりロッド１５が設置され、前記曲がりロッド１５と前記支持ロッド１９とがいずれも固定的に連結され、前記曲がりロッド１５の一端には装飾品１６が固定的に設置され、手で前記第二つまみ４５を回すことにより、前記第二スクリュー軸４４が回転し、更に前記ウォームホイール４２が回転でき、前記ウォームホイール４２が前記伝動スクリュー軸２５を回転連動させ、更に前記第二ねじ山ブロック２１は上又は下へ移動でき、それにより前記照明ライト１４は上又は下へ移動できる。
【００１４】
使用する時、まず長固定板１０をボルト４０により長固定板１０に固定し、そして小スライドブロック３５を上へ引き動かすことにより、リミット軸１１が矩形溝３７から離脱し、また手でＬ型ロッド３４をスライドさせ、それによりＬ型ロッド３４が照明ライト１４を右又は左へスライド連動させ、目標位置に移動した時、小スライドブロック３５を放し、それにより小スライドブロック３５がばね３９の引張力の下で復帰し、更にリミット軸１１が矩形溝３７の中に挿入され、それにより長スライド板３６を制限し、長スライド板３６がスライドできなく、照明ライト１４をつけ、手で第二つまみ４５を回すことにより、第二スクリュー軸４４が回転し、更にウォームホイール４２が回転し、ウォームホイール４２が伝動スクリュー軸２５を回転連動させ、更に第二ねじ山ブロック２１は上又は下へスライドでき、それにより照明ライト１４は上又は下へ調節されることができ、仮に照明ライト１４の照明角度を調節すれば、手で第一つまみ２８を回し、それにより第一スクリュー軸３０が回転し、更に第一スクリュー軸３０が第一ねじ山ブロック３２を連動させて左又は右へスライドさせることができ、更に揺れ動き板２６が揺れ動くことができ、それにより照明ライト１４の照明角度を調節できる。
【００１５】
本発明の有益な効果は：伝統的な壁掛けライトと比べ、本発明の壁掛けライトはスライドでき、それによりライトは壁で自由に移動でき、それにより照明面積を増大でき、デスクに取り付ければ、使用者は自分のニーズにより、昇降機構と調節機構を通じてライトを照明角度を変えられ、使い心地を快適にさせる。
【００１６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。